(57)【要約】【課題】情報記録媒体が接続される電子機器端末において、情報記録媒体の使用を繰り返すことで書換え速度が低下する。このような情報記録媒体の書換え速度を随時に高速化すること。【解決手段】電子機器端末１は、映像又はオーディオデータを入力するカメラ部・マイク部２、外部機器のデータを入出力する外部データ入出力部４、表示を行う表示部５、様々な制御を行う制御部６、情報記録媒体Ｉ／Ｆ１２、データを記録する情報記録媒体１２、１３、１４を備える。制御部６は、情報記録媒体にデータを記録する毎に書換え速度を計測しておき、所定の書換え速度よりも低下した場合には、情報記録媒体の書換え速度が高速となるような最適化処理を実施する。【選択図】図１
2005044285.tif 000002
【特許請求の範囲】
【請求項１】
各種デジタルデータを書き込み及び読み出す情報記録媒体を装脱可能にした電子機器端末であって、
前記情報記録媒体に各種デジタルデータを書き込み又は読み出しする際に、前記デジタルデータの書き込み速度又は読み出し速度を計測すると共に、前記計測速度結果を保持するアクセス速度管理部を具備することを特徴とする電子機器端末。
【請求項２】
各種デジタルデータを書き込み及び読み出す情報記録媒体を装脱可能にした電子機器端末であって、
前記情報記録媒体に対する各種デジタルデータの書き込み速度又は読み出し速度を計測し、前記計測速度と所定の基準速度との比較を行うと共に、前記比較結果を保持するアクセス速度管理部を具備することを特徴とする電子機器端末。
【請求項３】
前記アクセス速度管理部による速度の比較結果を表示する表示部を更に設けたことを特徴とする請求項２記載の電子機器端末。
【請求項４】
各種デジタルデータを書き込み及び読み出す情報記録媒体を装脱可能にした電子機器端末であって、
前記情報記録媒体に対する各種デジタルデータの書き込み速度又は読み出し速度を計測し、前記計測速度と所定の基準速度との比較を行うと共に、前記比較結果を保持するアクセス速度管理部と、
前記アクセス速度管理部の比較結果において前記計測速度が前記基準速度を満たさないとき、前記情報記録媒体の物理的初期化処理のコマンドを発行又は分断化されたデータを連続化する連続化処理を行うコマンド送信部と、を具備することを特徴とする電子機器端末。
【請求項５】
各種デジタルデータを書き込み及び読み出す情報記録媒体を複数個装脱可能にした電子機器端末であって、
前記情報記録媒体に対する各種デジタルデータの書き込み速度又は読み出し速度を計測し、前記計測速度と所定の基準速度との比較を行うと共に、前記比較結果を保持するアクセス速度管理部と、
前記情報記録媒体の物理的初期化処理のコマンドを発行すると共に、分断化されたデータを連続化する連続化処理を行うコマンド送信部と、を具備し、
特定の前記情報記録媒体に対して各種デジタルデータの読み出し又は書き込みを行う際に、前記アクセス速度管理部によって前記計測速度が前記基準速度を満たさないと判断された他の前記情報記録媒体に対しては、物理的初期化処理及び連続化処理の少なくとも一方を、特定の前記情報記録媒体に対する各種デジタルデータの読み出し又は書き込みと並行して実施することを特徴とする電子機器端末。
【請求項６】
各種デジタルデータを書き込み及び読み出す情報記録媒体を複数個装脱可能にした電子機器端末であって、
前記情報記録媒体に対する各種デジタルデータの書き込み速度又は読み出し速度を計測し、前記計測速度と所定の基準速度との比較を行うと共に、前記比較結果を保持するアクセス速度管理部と、
前記情報記録媒体の物理的初期化処理のコマンドを発行すると共に、分断化されたデータを連続化する連続化処理を行うコマンド送信部と、を具備し、
前記電子機器端末の電源がオンになった直後、又はオフになる直前に、前記アクセス速度管理部によって前記計測速度が前記基準速度を満たさないと判断された情報記録媒体に対して、物理的初期化処理及び連続化処理の少なくも一方を行うことを特徴とする電子機器端末。
【請求項７】
各種デジタルデータを書き込み及び読み出す情報記録媒体を複数個装脱可能にした電子機器端末であって、
前記情報記録媒体に対する各種デジタルデータの書き込み速度又は読み出し速度を計測し、前記計測速度と所定の基準速度との比較を行うと共に、前記比較結果を保持するアクセス速度管理部と、
前記情報記録媒体の物理的初期化処理のコマンドを発行すると共に、分断化されたデータを連続化する連続化処理を行うコマンド送信部と、を具備し、
前記電子機器端末が電源供給機能を有する機器に接続された際に、前記アクセス速度管理部によって前記計測速度が前記基準速度を満たさないと判断された情報記録媒体に対して、物理的初期化処理及び連続化処理の少なくとも一方を行うことを特徴とする電子機器端末。
【請求項８】
各種デジタルデータを書き込み及び読み出す情報記録媒体を複数個装脱可能にした電子機器端末であって、
前記情報記録媒体に対する各種デジタルデータの書き込み速度又は読み出しの速度を計測し、前記計測速度と所定の基準速度との比較を行うと共に、前記比較結果を保持するアクセス速度管理部と、
前記情報記録媒体の物理的初期化処理のコマンドを発行すると共に、分断化されたデータを連続化する連続化処理を行うコマンド送信部と、
前記物理的初期化処理及び前記連続化処理の少なくとも一方を指示する最適化スイッチと、を具備し、
前記最適化スイッチから信号が出力された際に、前記アクセス速度管理部によって、前記計測速度が前記基準速度を満たさないと判断された情報記録媒体に対して、物理的初期化処理及び連続化処理の少なくとも一方を行うことを特徴とする電子機器端末。
【請求項９】
各種デジタルデータを書き込み及び読み出す情報記録媒体を装脱可能にした電子機器端末であって、
前記電子機器端末に外部機器が接続されて外部データが入力されるとき、外部機器の出力データのビットレート及びデータ量を解析するデータ解析部と、
前記情報記録媒体に対する各種デジタルデータの書き込み速度又は読み出し速度を計測し、前記データ解析部で得られたビットレートに対応する書き込み速度を所定の基準速度とし、前記計測速度と前記基準速度との比較を行うと共に、前記比較結果を保持するアクセス速度管理部と、
前記アクセス速度管理部の比較結果において前記計測速度が前記基準速度を満たさないとき、前記情報記録媒体の物理的初期化処理のコマンドを発行又は分断化されたデータを連続化する連続化処理を行うコマンド送信部と、を具備することを特徴とする電子機器端末。
【請求項１０】
前記所定の基準速度は、
前記データ解析部で解析されたビットレートを満たす速度であることを特徴とする請求項９記載の電子機器端末。
【請求項１１】
前記所定の基準速度は、
前記コマンド送信部によって更新された速度値に対して、一定の低減率を乗じた値であることを特徴とする請求項１〜８のいずれか１項記載の電子機器端末。
【請求項１２】
前記所定の基準速度は、
複数種類の情報記録媒体に対して前記電子機器端末内に予め保持されている速度値に対して、一定の低減率を乗じた値であることを特徴とする請求項５記載の電子機器端末。
【請求項１３】
各種デジタルデータを書き込み及び読み出す情報記録媒体を複数個装脱可能にした電子機器端末であって、
前記情報記録媒体に対する各種デジタルデータの書き込み速度又は読み出し速度を計測し、計測速度と所定の基準速度との比較を行うと共に、前記比較結果を保持するアクセス速度管理部と、
前記情報記録媒体の物理的初期化処理のコマンドを発行すると共に、分断化されたデータを連続化する連続化処理を行うコマンド送信部と、
前記複数の前記情報記録媒体のいずれかに対して各種デジタルデータの書き込みを行う際に、前記アクセス速度管理部によって前記計測速度が前記基準速度を満たすと判断された情報記録媒体を選択するデータ書き込み先判定部と、を具備し、
前記データ書き込み先判定部が指定した情報記録媒体にデータを書き込むことを特徴とする電子機器端末。
【発明の詳細な説明】
【技術分野】
【０００１】
本発明は、半導体メモリカードなどの情報記録媒体に各種デジタルデータを記録する電子機器端末に関わり、特に、頻繁なデータの書換えに伴う情報記録媒体の書換え速度の低下に対して、情報記録媒体の書換え速度の性能を回復させる機能を有する電子機器端末に関する。
【背景技術】
【０００２】
デジタルデータの記録機能を搭載したＰＤＡ、デジタルカメラ、携帯電話等の電子機器端末では、ユーザにより与えられる記録指示に応じて色々な情報が記録される。例えばカメラ機能を搭載する電子機器端末の場合には、撮影した画像を着脱可能な情報記録媒体に記録できるものがある。このように情報記録媒体に記録された画像は、後にパソコン等の他の機器で利用することができる。
【０００３】
着脱可能な情報記録媒体は、不揮発性であること、すなわち電源供給を受けない場合でも記録内容を失わないことが必要であり、また小型軽量であることが望ましい。このような不揮発性の情報記録媒体は、フラッシュメモリ等の半導体メモリを内蔵した半導体メモリカード、カード状の形状を始めとする様々な形状のハードディスク、更にはＣＤ、ＭＤ、ＤＶＤ等の光ディスク媒体、テープ媒体などが挙げられる。
【０００４】
近年、光ディスク媒体を始め、特に半導体メモリカードやカード状の形状をしたハードディスクの種類や容量は多岐に渡っており、形状や書き換え速度等にも違うものが多く、これらの情報記録媒体が製品化され、実用化されている。
【０００５】
このような多様化している光ディスク媒体、テープ媒体等を含めた様々な情報記録媒体に対応した電子機器端末にあっても、１種類の情報記録媒体だけでなく、複数の情報記録媒体が同時に装着可能な電子機器端末も開発されている。
【０００６】
このように、複数の情報記録媒体が装着された電子機器端末は、どの情報記録媒体にデータを記録するのかを決定しなければならない。一般にはこれらを決定する方法として、手動にてスイッチ等で切り替える方法、電子機器端末が自動的に切り替える方法などがある。
【０００７】
特許文献１に記載されたデジタルカメラでは、消費電力などの所定の特性に基づいて１つの情報記録媒体を優先媒体とし、他の情報記録媒体を非優先媒体として扱い、優先媒体が優先的に使用される方法が示されている。
【０００８】
さらに、特許文献２に記載されたデジタルカメラでは、装着された情報記録媒体に対してデータの転送試験を実施して、試験結果が記録する媒体を決定するという方法が示されている。
【特許文献１】特開２００１−２２３９７７号公報
【特許文献２】特開２００１−２４５２４９号公報
【発明の開示】
【発明が解決しようとする課題】
【０００９】
半導体メモリカードやハードディスク等の情報記録媒体は、各種デジタルデータの書換え回数が増すにつれて、データ保存領域での論理的及び物理的にデータの断片化が発生するため、データへのアクセス速度が低下する。このため、情報記録媒体自体の特性に応じたデータの最適配置により、当該情報記録媒体の最高の書換え速度を実現する機能を備えたデータ記憶装置もあるが、このような高速にデータの書換えが可能な情報記録媒体であっても、使用するにつれて徐々にデータの書換え速度が低下してしまうことがある。
【００１０】
これらの問題を解消する手段として、半導体メモリカードであれば、メモリの物理的初期化、ハードディスクや光ディスクであれば物理的に分断化されたデータを連続化する処理（デフラグ）といった書換え速度の最適化処理方法がある。特に、内部にＣＰＵを搭載し、単なるメモリ媒体として機能するだけでなく、半導体メモリカード自身で処理機能を持つ半導体メモリカードの場合、物理的初期化処理が半導体メモリカード自体に用意されているものもある。
【００１１】
複数の情報記録媒体が装着可能な電子機器端末において、各々の情報記録媒体の書換え速度が低下した場合には、装着されている情報記録媒体に対して最適化処理を行わなければ、情報記録媒体自体の特性に応じたデータの最適化配置によって、最高の書換え速度を実現できる状態に戻すことができない。電子機器端末に装着されている情報記録媒体の書換え速度の最適化処理（回復処理）を行うと、高速に高密度のデータを情報記録媒体に記録することが可能となり、消費電力の低減にも貢献するなど様々な利点が得られる。しかし、書換え速度が低下した場合の最適化処理の方法について、前述の２つの従来技術には記述されていない。
【００１２】
また、このような情報記録媒体の本来の性能が発揮できる書換え速度に回復するための物理的初期化や、デフラグなどの処理は、特に電子機器端末のうちモバイル端末においては、常に電源が投入されているとは限らないため、それらを考慮した上で最適化処理が実施されなければならない。
【００１３】
本発明は、かかる課題に鑑みてなされたもので、装着される情報記録媒体の本来の性能を十分に生かすことのできる機能を持つ電子機器端末を提供することを目的とする。即ち、情報記録媒体への書換え速度が低下した場合には、情報記録媒体の書換え速度が高速になるように最適化処理を行うことができる電子機器端末を実現することである。
【課題を解決するための手段】
【００１４】
本願の請求項１の発明は、各種デジタルデータを書き込み及び読み出す情報記録媒体を装脱可能にした電子機器端末であって、前記情報記録媒体に各種デジタルデータを書き込み又は読み出しする際に、前記デジタルデータの書き込み速度又は読み出し速度を計測すると共に、前記計測速度結果を保持するアクセス速度管理部を具備することを特徴とする。
【００１５】
本願の請求項２の発明は、各種デジタルデータを書き込み及び読み出す情報記録媒体を装脱可能にした電子機器端末であって、前記情報記録媒体に対する各種デジタルデータの書き込み速度又は読み出し速度を計測し、前記計測速度と所定の基準速度との比較を行うと共に、前記比較結果を保持するアクセス速度管理部を具備することを特徴とする。
【００１６】
本願の請求項３の発明は、請求項２の電子機器端末において、前記アクセス速度管理部による速度の比較結果を表示する表示部を更に設けたことを特徴とする。
【００１７】
本願の請求項４の発明は、各種デジタルデータを書き込み及び読み出す情報記録媒体を装脱可能にした電子機器端末であって、前記情報記録媒体に対する各種デジタルデータの書き込み速度又は読み出し速度を計測し、前記計測速度と所定の基準速度との比較を行うと共に、前記比較結果を保持するアクセス速度管理部と、前記アクセス速度管理部の比較結果において前記計測速度が前記基準速度を満たさないとき、前記情報記録媒体の物理的初期化処理のコマンドを発行又は分断化されたデータを連続化する連続化処理を行うコマンド送信部と、を具備することを特徴とする。
【００１８】
本願の請求項５の発明は、各種デジタルデータを書き込み及び読み出す情報記録媒体を複数個装脱可能にした電子機器端末であって、前記情報記録媒体に対する各種デジタルデータの書き込み速度又は読み出し速度を計測し、前記計測速度と所定の基準速度との比較を行うと共に、前記比較結果を保持するアクセス速度管理部と、前記情報記録媒体の物理的初期化処理のコマンドを発行すると共に、分断化されたデータを連続化する連続化処理を行うコマンド送信部と、を具備し、特定の前記情報記録媒体に対して各種デジタルデータの読み出し又は書き込みを行う際に、前記アクセス速度管理部によって前記計測速度が前記基準速度を満たさないと判断された他の前記情報記録媒体に対しては、物理的初期化処理及び連続化処理の少なくとも一方を、特定の前記情報記録媒体に対する各種デジタルデータの読み出し又は書き込みと並行して実施することを特徴とする。
【００１９】
本願の請求項６の発明は、各種デジタルデータを書き込み及び読み出す情報記録媒体を複数個装脱可能にした電子機器端末であって、前記情報記録媒体に対する各種デジタルデータの書き込み速度又は読み出し速度を計測し、前記計測速度と所定の基準速度との比較を行うと共に、前記比較結果を保持するアクセス速度管理部と、前記情報記録媒体の物理的初期化処理のコマンドを発行すると共に、分断化されたデータを連続化する連続化処理を行うコマンド送信部と、を具備し、前記電子機器端末の電源がオンになった直後、又はオフになる直前に、前記アクセス速度管理部によって前記計測速度が前記基準速度を満たさないと判断された情報記録媒体に対して、物理的初期化処理及び連続化処理の少なくも一方を行うことを特徴とする。
【００２０】
本願の請求項７の発明は、各種デジタルデータを書き込み及び読み出す情報記録媒体を複数個装脱可能にした電子機器端末であって、前記情報記録媒体に対する各種デジタルデータの書き込み速度又は読み出し速度を計測し、前記計測速度と所定の基準速度との比較を行うと共に、前記比較結果を保持するアクセス速度管理部と、前記情報記録媒体の物理的初期化処理のコマンドを発行すると共に、分断化されたデータを連続化する連続化処理を行うコマンド送信部と、を具備し、前記電子機器端末が電源供給機能を有する機器に接続された際に、前記アクセス速度管理部によって前記計測速度が前記基準速度を満たさないと判断された情報記録媒体に対して、物理的初期化処理及び連続化処理の少なくとも一方を行うことを特徴とする。
【００２１】
本願の請求項８の発明は、各種デジタルデータを書き込み及び読み出す情報記録媒体を複数個装脱可能にした電子機器端末であって、前記情報記録媒体に対する各種デジタルデータの書き込み速度又は読み出しの速度を計測し、前記計測速度と所定の基準速度との比較を行うと共に、前記比較結果を保持するアクセス速度管理部と、前記情報記録媒体の物理的初期化処理のコマンドを発行すると共に、分断化されたデータを連続化する連続化処理を行うコマンド送信部と、前記物理的初期化処理及び前記連続化処理の少なくとも一方を指示する最適化スイッチと、を具備し、前記最適化スイッチから信号が出力された際に、前記アクセス速度管理部によって、前記計測速度が前記基準速度を満たさないと判断された情報記録媒体に対して、物理的初期化処理及び連続化処理の少なくとも一方を行うことを特徴とする。
【００２２】
本願の請求項９の発明は、各種デジタルデータを書き込み及び読み出す情報記録媒体を装脱可能にした電子機器端末であって、前記電子機器端末に外部機器が接続されて外部データが入力されるとき、外部機器の出力データのビットレート及びデータ量を解析するデータ解析部と、前記情報記録媒体に対する各種デジタルデータの書き込み速度又は読み出し速度を計測し、前記データ解析部で得られたビットレートに対応する書き込み速度を所定の基準速度とし、前記計測速度と前記基準速度との比較を行うと共に、前記比較結果を保持するアクセス速度管理部と、前記アクセス速度管理部の比較結果において前記計測速度が前記基準速度を満たさないとき、前記情報記録媒体の物理的初期化処理のコマンドを発行又は分断化されたデータを連続化する連続化処理を行うコマンド送信部と、を具備することを特徴とする。
【００２３】
本願の請求項１０の発明は、請求項９の電子機器端末において、前記所定の基準速度は、前記データ解析部で解析されたビットレートを満たす速度であることを特徴とする。
【００２４】
本願の請求項１１の発明は、請求項１〜８のいずれか１項の電子機器端末において、前記所定の基準速度は、前記コマンド送信部によって更新された速度値に対して、一定の低減率を乗じた値であることを特徴とする。
【００２５】
本願の請求項１２の発明は、請求項５の電子機器端末において、前記所定の基準速度は、複数種類の情報記録媒体に対して前記電子機器端末内に予め保持されている速度値に対して、一定の低減率を乗じた値であることを特徴とする。
【００２６】
本願の請求項１３の発明は、各種デジタルデータを書き込み及び読み出す情報記録媒体を複数個装脱可能にした電子機器端末であって、前記情報記録媒体に対する各種デジタルデータの書き込み速度又は読み出し速度を計測し、計測速度と所定の基準速度との比較を行うと共に、前記比較結果を保持するアクセス速度管理部と、前記情報記録媒体の物理的初期化処理のコマンドを発行すると共に、分断化されたデータを連続化する連続化処理を行うコマンド送信部と、前記複数の前記情報記録媒体のいずれかに対して各種デジタルデータの書き込みを行う際に、前記アクセス速度管理部によって前記計測速度が前記基準速度を満たすと判断された情報記録媒体を選択するデータ書き込み先判定部と、を具備し、前記データ書き込み先判定部が指定した情報記録媒体にデータを書き込むことを特徴とする。
【発明の効果】
【００２７】
本発明による電子機器端末では、情報記録媒体に対する書換え速度を、データの書換えがある毎に計測するようにしている。このため、書換え速度が低下してきた場合には、情報記録媒体の性能が最大限発揮できるように最適化処理の指示を出すことができる。
【発明を実施するための最良の形態】
【００２８】
本発明の実施の形態における電子機器端末について、図面を参照しつつ説明する。なお、以下の実施の形態における記述によって、本発明の技術範囲が制限されるものではない。
【００２９】
（実施の形態１）
図１は、本発明の実施の形態１における電子機器端末１の概略構成図である。この電子機器端末１は、例えば、ＰＤＡ、デジタルカメラ、携帯電話、ＰＨＳ、モバイルパソコンといった電子機器端末とする。電子機器端末１は、カメラ部・マイク部２、キー入力部３、外部データ入出力部４、表示部５、制御部６、情報記録媒体Ｉ／Ｆ１１を含んで構成される。
【００３０】
カメラ部・マイク部２は映像データやオーディオデータを発生する機能ブロックである。キー入力部３はスイッチ操作などによりユーザからの入力を受け付けるものである。外部データ入出力部４は、電子機器端末１とパソコンとの接続や、ケーブル接続によるデータの入出力などを行うものである。表示部５はＬＣＤなどを用いてユーザに対して表示を行うものである。制御部６は電子機器端末１の全体制御を行うと共に、情報記録媒体１２〜１４に対する様々な制御を情報記録媒体Ｉ／Ｆ１１を介して行うものである。
【００３１】
制御部６は、データ解析部７、アクセス速度管理部８、データ書き込み先判定部９、コマンド送信部１０を備える。データ解析部７は情報記録媒体に記録するデジタルデータの内容、例えば１つのコンテンツに対するデータ総量、データ転送に必要なビットレート等を解析するものである。アクセス速度管理部８は、情報記録媒体に対する各種デジタルデータの書き込み及び読み出し速度を計測し、計測速度と所定の基準速度との比較を行うと共に、比較結果を保持するものである。データ書き込み先判定部９は書き込み先の情報記録媒体を判定するものである。コマンド送信部１０は、アクセス速度管理部８の比較結果に基づいて、情報記録媒体の物理的初期化処理のコマンドを発行するか、又は分断化されたデータを連続化する連続化処理を行うものである。情報記録媒体Ｉ／Ｆ１１は情報記録媒体１２〜１４とのインターフェース部である。
【００３２】
情報記録媒体１２〜１４は、データを記録する記録媒体であり、ＳＤメモリカード、コンパクトフラッシュ（登録商標）、スマートメディア、メモリースティック、ｘＤピクチャーカードなどの半導体メディア、カード形状を始めとする様々な形状を有するハードディスク、ＣＤ、ＭＤ、ＤＶＤ等の光ディスク媒体、テープ媒体などがある。
【００３３】
電子機器端末１には複数個の情報記録媒体を装着することができる。図１では３つの情報記録媒体１２，１３，１４が装着されている例を示しているが、３つに限定されるものではない。これらの装着される情報記録媒体は同種類のものに限らず、様々な種類の情報記録媒体を装着することができる。
【００３４】
これらの情報記録媒体が電子機器端末１に装着された際の処理について、図１〜図３を用いて説明する。図２は電子機器端末１に情報記録媒体が装着された際の処理の流れを示すフローチャートである。まず、最初のステップＳ２０において、情報記録媒体が電子機器端末１に装着された際に、制御部６は情報記録媒体Ｉ／Ｆ１１を介して情報記録媒体が装着されたことを検出する。次のステップＳ２１では、装着された情報記録媒体に関して、スロット番号、情報記録媒体のタイプ、情報記録媒体の空き容量、情報記録媒体の固有ＩＤなど各種の情報記録媒体情報を取得する。
【００３５】
次のステップＳ２２では、情報記録媒体情報と制御部６に保持されている情報記録媒体管理テーブルの情報とが一致するか否かの確認を行う。情報記録媒体管理テーブルの情報と一致すれば、処理を終了する。情報記録媒体管理テーブルの情報と一致しなかった場合はステップＳ２３に分岐し、情報記録媒体へ最適化処理を実施する。最適化処理とは、情報記録媒体自体の特性に応じたデータの最適配置により当該情報記録媒体の最高の書換え速度を実現できる性能（情報記録媒体の本来の性能）を最大限発揮させるために情報記録媒体に施す処理である。その方法は情報記録媒体の種類により異なるが、電子機器端末１内に予め保持されている方法に従うものとする。より具体的には、最適化処理は情報記録媒体の全領域に対して実施されるものであってもよいが、情報記録媒体が半導体メディアである場合で既存データが存在する場合には、その領域を除いた空き容量と判断される領域のメモリのみの最適化処理を実施する。情報記録媒体がハードディスクである場合には、デフラグを実施後に空き領域の初期化を実施するなどの方法で最適化処理が実行される。
【００３６】
次のステップＳ２４では、アクセス速度管理部８が最適化処理された情報記録媒体に対して書換え速度の計測を実施する。これは、カメラ部・マイク部２又は外部データ入出力部４からデータが入力されたり、特定サイズの計測用のデータを書き込まれたりするときの書換え速度を計測するものである。次にステップＳ２５に進むと、これらの計測結果などの情報によって、制御部６に保持する情報記録媒体管理テーブルの内容を更新する。
【００３７】
図３は、電子機器端末１の制御部６で管理する情報記録媒体管理テーブルの情報例を示す図である。各情報記録媒体に対して、スロット番号３０、媒体ＩＤ３１、タイプ３２、容量３３、空き容量３４、最適書換え速度３５、前回書換え速度３６、最適化処理の必要性３７などの記載欄が設けられている。
【００３８】
スロット番号３０は情報記録媒体が装着されているスロットの番号を示す。媒体ＩＤ３１は、情報記録媒体に固有に付随しているＩＤである。タイプ３２は各種の情報記録媒体の種類を示す。容量３３は情報記録媒体の全体の容量を表わす。空き容量３４は情報記録媒体の空き容量を表わす。最適書換え速度３５は、情報記録媒体の最適化処理後に実施される情報記録媒体に対する書換え速度の計測で得られた値であり、情報記録媒体の本来の性能とされる書換え速度を表わす。前回書換え速度３６は、情報記録媒体に対してデータが書き込まれた際に計測される前回の書換え速度を表わす。最適化処理の必要性３７は、情報記録媒体に対して書換え速度の低下による最適化処理が必要か否かを示す情報である。
【００３９】
図３では、電子機器端末１に３つの情報記録媒体が装着されている場合の情報記録媒体管理テーブルの内容例を示している。スロット１には、Ａメモリカードが挿入され、２０Ｍの空き容量が確保されている。現在の状態では最適化処理は必要としない。スロット２には、新規に情報記録媒体が装着され、最適化処理が実施された直後であるため、前回の書換え速度は空欄となっている。スロット３にはＣメモリが挿入され、前回の書換え速度が１．５ＭＢ／Ｓに低下している。このため最適化処理が必要となっている。
【００４０】
次に、電子機器端末１が情報記録媒体にデータの書き込み処理を行う際の処理手順について、図４のフローチャートを用いて説明する。まずステップＳ４０において、電子機器端末１のキー入力部３からのキー操作を行い、外部データ入出力部４からのデータを入力すると、制御部６のデータ解析部７が情報記録媒体に記録されるべきデータを解析し、情報記録媒体に必要とされる書換え速度を算出する。これは、例えば、電子機器端末１がビデオ撮影機能を持つ場合、ユーザからのキー入力部３へのキー操作入力によって、画質やビットレートが設定される。データ解析部７は、撮影する画像を情報記録媒体に記録するために、高画素又は高ビットレートが設定された場合には、情報記録媒体は書換え速度が高速になると判断し、情報記録媒体に必要とされる書換え速度を新たに算出する。また、外部データ入出力部４にテレビを接続する際には、テレビ側から高ビットレートで情報記録媒体に録画されるので、情報記録媒体の書換え速度は高速になると判断し、データ解析部７は入力データに応じた情報記録媒体に対して必要とされる書換え速度を新たに算出する。
【００４１】
次のステップＳ４１では、制御部６が保持する情報記録媒体管理テーブルを確認する。ステップＳ４２に進むと、このようにデータ解析部７が解析した情報記録媒体に必要とされる書換え速度と、制御部６に保持される情報記録媒体管理テーブルの内容を確認し、制御部６のデータ書き込み先判定部９は、どの情報記録媒体１２，１３，１４にデータの書き込みを行うかの判定を行う。このときの判定条件として、必要とされるデータの書換え速度に対応する情報記録媒体が１つしかなければ、その情報記録媒体を選択する。しかし、必要とされるデータ書換え速度に対応する情報記録媒体が複数装着されている場合には、情報記録媒体管理テーブルに記述されている最適化処理の必要がない情報記録媒体にデータを記録するように判定する。ここで、必要とされるデータの書換え速度に対応する情報記録媒体が複数装着されており、それらの複数の情報記録媒体は最適化処理の必要がない場合には、記録する際に電力消費が最も少なくなる情報記録媒体が一意に決定される。
【００４２】
次のステップＳ４３では、データ書き込み先判定部９によって判断され、データが記録される情報記録媒体が、記録しようとしているデータに対して最適化処理が必要か否かの判定を行う。これは、記録しようとしているデータに必要とされる書換え速度が、現在の情報記録媒体の書換え速度で保証できるか否かの判定を行うことである。
【００４３】
記録しようとしている情報記録媒体の最適化処理が必要であると判断された場合には、ステップＳ４４に分岐する。このステップＳ４４では、例えば電子機器端末がビデオ撮影装置の場合に、撮影のためのデータモードを低ビットのものに設定するなど、現在装着さている情報記録媒体に記録できるようなモードの設定に変更するか否かをユーザに表示するなどして、設定変更の有無を判断する。設定の変更がない場合には、ステップＳ４５に進み、最適化処理を実施する旨をユーザに表示部５などを介して通知する。
【００４４】
次のステップＳ４６に移ると、コマンド送信部１０は情報記録媒体の最適化処理を実施する。そして情報記録媒体の最適化処理が終了した後はステップＳ４７に進み、情報記録媒体に対してデータを記録する。このとき、制御部６のアクセス速度管理部８によってデータを書き込む際の書き込み速度を計測しておき、情報記録媒体管理テーブルを更新する。情報記録媒体管理テーブルにおける最適化処理に対する必要性の有無の更新に関しては、その際に計測された速度に応じて判断する。例えば、情報記録媒体の本来の性能で発揮できる書換え速度の７０％まで速度が低下していた場合に、“最適化処理必要有り“とするなど、予め電子機器端末の仕様の情報に合わせて制御部６に保持されている情報に従って設定を行う。
【００４５】
ステップＳ４３において、記録しようとしている情報記録媒体の最適化処理が必要でないと判断された場合には、ステップＳ４８に分岐する。ここでは、一意に決められた情報記録媒体にデータを書き込むと同時に、情報記録媒体管理テーブルの情報に基づいて、記録には使用されていないが、最適化処理が必要な他の情報記録媒体に対して、制御部６のコマンド送信部１０からコマンドを発行して最適化処理を行う。このときの最適化処理の方法（コマンド）は、情報記録媒体の種類に合わせて、予め制御部６に保持されているものを使用する。
【００４６】
最適化処理は、特定の情報記録媒体に対してデータを記録している間に、他の情報記録媒体に対して行うこともできる。この場合、データの記録の方が情報記録媒体の最適化処理よりも短時間で終了してしまう場合には、電子機器端末１の電源のオフに伴い、最適化処理も途中段階で終了してしまうか、最適化処理が終了してから電源をオフにする。これらの処理方法に関しては、情報記録媒体の性質により異なるため、予め保持している各種の情報記録媒体に関する最適化処理に要する時間情報と、電子機器端末の電源供給の状態を加味して、電源供給が十分に続けられる場合には、最適化処理が終了してから電源をオフが可能となるように、制御部６が最適な方法を決定して実施する。
【００４７】
次に、情報記録媒体に記録されているデータに対して、外部機器からデータを読み出したり、情報記録媒体にデータの書き込みをしたりする方法について説明する。電子機器端末１からデータを読み出す際には、シリアル接続、パラレル接続、ＵＳＢ接続、ＩＥＥＥ１３９４接続、光ケーブル接続などの接続形態によって、パソコンを始めとする外部機器を外部データ入出力部４に接続する。この状態によって外部接続機器から情報記録媒体に記録されているデータを読み出すことが可能となる。
【００４８】
電子機器端末１に対して外部接続によってデータの書き込みを実施する場合には、前述の方法と同様にシリアル接続、パラレル接続、ＵＳＢ接続、ＩＥＥＥ１３９４接続、光ケーブル接続などの接続形態によって、パソコンを始めとする外部接続機器と外部データ入出力部４とを接続する。この状態で外部機器から情報記録媒体にデータを記録する手順は、電子機器端末１の制御部６によって制御される。この場合の処理は図４を用いて説明した方法と同様の手順で行われ、情報記録媒体にデータが書き込まれる。最適化処理の必要な情報記録媒体に対しては最適化処理が実施される。
【００４９】
このように、電子機器端末１の電源がオンになっている間を有効に利用して、ある情報記録媒体に対して記録を行っている間に、他の情報記録媒体の最適化処理を行う。このことによって、ユーザが手動で最適化処理を指示することなく、情報記録媒体の本来の性能が十分に発揮できるような状態に常に保つことが可能となる。
【００５０】
なお、ここでは電子機器端末に情報記録媒体が装着された際の処理について示したが、情報記録媒体が装着された電子機器端末に電源供給が開始された際の、電子機器端末の起動処理の一つとして実施されてもよい。また、情報記録媒体管理テーブルに記録する各情報記録媒体の最適書換え速度は、情報記録媒体に対する最適化処理後に実際に書換え速度を計測する例で示したが、予め電子機器端末が情報記録媒体に対するそれらの最適書換え速度を保持しており、実際に計測することなく、その値を使用する方法でもよい。
【００５１】
（実施の形態２）
次に本発明の実施の形態２における電子機器端末について説明する。ここでは特に情報記録媒体の最適化処理方法において、実施の形態１で示した方法以外の方法について説明する。そしてその他の機能や、情報記録媒体管理テーブルの更新方法など、実施の形態１で説明したものと同様であるものは、ここでの説明は割愛する。
【００５２】
図５は本実施の形態における電子機器端末５０１の概略構成図である。この電子機器端末５０１は、実施の形態１と同様にカメラ・マイク部５０２、キー入力部５０３、外部データ入出力部５０４、表示部５０５、制御部５０６、情報記録媒体Ｉ／Ｆ５２２を備えている。情報記録媒体Ｉ／Ｆ５２２には情報記録媒体５２３、５２４、５２５が挿入可能である。本実施の形態では上記の構成に対して電源スイッチ部５０７が加わっている。また制御部５０６は、データ解析部５０８、アクセス速度管理部５０９、データ書き込み先判定部５１０、コマンド送信部５２０に加えて、電源スイッチ検出部５２１を備える。
【００５３】
ここでは電源スイッチ部５０７、電源スイッチ検出部５２１以外の構成とその機能は、実施の形態１と同様であるため、ここでの説明は割愛する。電源スイッチ部５０７は電子機器端末５０１の電源スイッチであり、電源のオン／オフの操作を行うものである。また、制御部５０６の一つの構成要素である電源スイッチ検出部５２１は、電源スイッチ部５０７によって、ユーザ操作による電子機器端末５０１の電源のオン／オフ操作を検出するものである。
【００５４】
以下に電子機器端末５０１の電源スイッチ部５０７がユーザによってオンされた際の処理について説明する。電源スイッチ５０７をオンにした場合、制御部５０６の電源スイッチ検出部５２１は電源スイッチ５０７の状態を検出し、情報記録媒体の本来の性能を発揮できるように最適化処理をするために、図６で示すような処理手順を実施する。
【００５５】
まずステップＳ６０では、媒体情報記録媒体管理テーブルを確認する。これにより、電子機器端末５０１に装着されている情報記録媒体の詳細を知ることができる。次のステップＳ６１では、最適化処理が必要な情報記録媒体があるか否かのチェックをする。最適化処理が必要ない情報記録媒体のみが装着されている場合には、処理を終了する。最適化処理が必要な情報記録媒体が装着されている場合には、次のステップS６２に移り、ユーザが電子機器端末を使用する上で、何らかの影響を受けることなく最適化処理を実施することが可能な情報記録媒体であるか否かの判定を行う。これは、装着された情報記録媒体の種類や個数、また電子機器端末５０１の仕様によって、制御部６により判断されるものである。例えば、情報記録媒体の最適化処理がユーザの電子機器端末５０１の使用状態に影響を与えるような場合には、ユーザに対して最適化処理を実施する旨を表示する。使用状態に影響を与えるような場合とは、情報記録媒体の最適化処理に時間を要し、電源スイッチ５０７のオン後の電子機器端末５０１で情報記録媒体にデータを記録することができなくなる場合である。そのためステップＳ６３でユーザに通知した後にステップＳ６４に進み、情報記録媒体の最適化処理を実施する。
【００５６】
一方では、情報記録媒体が複数装着され、一つの情報記録媒体だけが最適化処理されていても、制御部５０６が電子機器端末の動作自体に問題がない最適化処理を実施することができると判断した場合には、ステップＳ６４において情報記録媒体の最適化処理が実施される。
【００５７】
これらの操作によって、電子機器端末５０１の電源スイッチ部５０７をユーザがオンにすることで、装着されている情報記録媒体に対して最大限の性能が発揮できるように最適化処理を実施することが可能となる。
【００５８】
なお、電源スイッチ部５０７が電子機器端末５０１に設けられるのではなく、キー入力部５０３や表示部５０５によって実現されるタッチパネル式の操作によって実現できる電源のオン／オフ機能であっても構わない。また、電子機器端末５０１の電源スイッチ部５０７をユーザがオフにした際に制御部５０６の電源スイッチ検出部５２１が電源スイッチ５０７の状態を検出し、同様の処理手順を実施してもよい。この場合には、電子機器端末５０１の電源スイッチ部５０７をオフにした際に、情報記録媒体の本来の性能が発揮できるように最適化処理を実施し、その後電子機器端末１の実際に電源をオフにすることで、電源オフに伴い、情報記録媒体の本来の性能を発揮することができる。
【００５９】
（実施の形態３）
次に本発明の実施の形態３における電子機器端末について説明する。ここでは特に情報記録媒体の最適化処理方法で、実施の形態１、２で示した方法以外の方法について説明する。その他の機能や、情報記録媒体管理テーブルの更新方法など、実施の形態１で説明したものと同様であり、それらの説明は割愛する。
【００６０】
図７は本実施の形態における電子機器端末７０１の概略構成図である。この電子機器端末７０１は、カメラ・マイク部７０２、キー入力部７０３、外部データ入出力部７０４、表示部７０５、制御部７０６、外部電源接続部７１１、情報記録媒体Ｉ／Ｆ７１２を含んで構成される。情報記録媒体Ｉ／Ｆ７１２には情報記録媒体７１３、７１４、７１５が挿入可能である。制御部７０６は、データ解析部７０７、アクセス速度管理部７０８、データ書き込み先判定部７０９、コマンド送信部７１０を有している。この電子機器端末７０１の構成のうち、外部電源接続部７１１以外の構成とその機能は、実施の形態１で説明したものとと同様であるため、ここでの説明は割愛する。
【００６１】
外部電源接続部７１１は、外部からの電源供給を受けるための機能を有する。電子機器端末７０１が、電源供給のために充電器に接続された際や、電源供給を伴う外部接続としてＵＳＢに接続された際には、外部電源接続部７１１が電源の供給を検出する。このような電源供給機能を持ち、一般にクレードルと呼ばれる機器に電子機器端末７０１が接続された場合の処理手順について、図８を用いて説明する。
【００６２】
最初のステップＳ８０では、電子機器端末７０１が外部からの電源供給を受けることを外部電源接続部７１１が検出する。次のステップＳ８１では、外部からの電源供給の接続が検出された場合には、制御部６が情報記録媒体管理テーブルの確認を行う。次にステップＳ８２に進み、情報記録媒体管理テーブルの確認によって、最適化処理が必要な情報記録媒体が装着されているかを判断する。
【００６３】
ステップＳ８２において最適化処理が必要な情報記録媒体が装着されていなければ処理を終了する。最適化処理が必要な情報記録媒体が接続されている場合にはステップS８３に移り、さらに該当情報記録媒体が最適化処理を実施することが可能であるか否かの判定を行う。これは、装着された情報記録媒体の種類や個数又は電子機器端末の仕様によって制御部７０６が判断する。ここで、例えば情報記録媒体の最適化処理を行うことが、ＵＳＢ接続によるパソコンなどの端末との接続に影響を与えるような場合には、最適化処理を実施している旨をユーザに対して表示する。接続に影響を与える場合とは、情報記録媒体の最適化処理を実施している最中は、パソコンから情報記録媒体に対してデータの書き込みができないような場合である。そのためステップＳ８４においてユーザに最適化処理を実施することを通知した後に、ステップＳ８５に進み、情報記録媒体に最適化処理を行う。
【００６４】
一方では、電子機器端末７０１が充電器機能だけを有するクレードルに接続された場合、情報記録媒体の最適化処理を実施することが可能な状態においては、ステップＳ８５で情報記録媒体の最適化処理を実施する。
【００６５】
これらの処理を行うことによって、電子機器端末７０１は、端末内の電源保持機能を使用することなく、外部からの電源供給があった場合に情報記録媒体の最適化処理を実施することが可能となる。このため、電源供給のある空き時間を利用して、ユーザに知られることなく、本来の性能を最大限に発揮できるよう、情報記録媒体を最適化処理された状態に常に維持しておくことができる。
【００６６】
（実施の形態４）
次に本発明の実施の形態４における電子機器端末について説明する。ここでは、特に情報記録媒体の最適化処理方法で実施の形態１〜３で示した以外の方法について説明する。その他の機能や、情報記録媒体管理テーブルの更新方法などは、実施の形態１で説明したものと同様であるため、ここでの説明は割愛する。
【００６７】
図９は本実施の形態における電子機器端末９０１の概略構成図である。この電子機器端末９０１は、カメラ・マイク部９０２、キー入力部９０３、外部データ入出力部９０４、表示部９０５、制御部９０６、最適化スイッチ部９１１、情報記録媒体Ｉ／Ｆ９１２を含んで構成される。情報記録媒体Ｉ／Ｆ９１２には情報記録媒体９１３、９１４、９１５が接続される。さらに制御部９０６は、データ解析部９０７、アクセス速度管理部９０８、データ書き込み先判定部９０９、コマンド送信部９１０を有している。
【００６８】
この電子機器端末９０１の構成のうち、最適化スイッチ部９１１以外の構成とその機能は、実施の形態１で説明したものと同様であるため、ここでの説明は割愛する。最適化スイッチ部９１１は、電子機器端末９０１に装着されている情報記録媒体を、本来の性能に回復させるために最適化処理を行うためのスイッチである。実施の形態１で示した処理と同様に、電子機器端末９０１に装着される情報記録媒体に対するデータの書き込みを行うことによって、制御部９０６に保持される情報記録媒体管理テーブルの最適化処理の必要性に関しての情報が更新される。
【００６９】
これらの情報記録媒体管理テーブルの更新があった場合の処理手順を図１０に示す。まず、最初に電子機器端末９０１によって情報記録媒体に対してデータの書き込みがあった後に、情報記録媒体管理テーブルが更新されるため、ステップＳ１００では、書き込み終了後に更新のあった情報記録媒体管理テーブルの確認を行う。次のステップＳ１０１では、情報記録媒体管理テーブルの確認によって、最適化処理が必要な情報記録媒体が電子機器端末９０１に装着されているか否かの判断を行う。
【００７０】
ステップＳ１０１において、最適化処理が必要な情報記録媒体が装着されていない場合には処理を終了する。最適化処理が必要な情報記録媒体が装着されている場合にはステップＳ１０２に進み、電子機器端末９０１の表示部９０５に最適化処理を促す表示を行う。ここで、最適化スイッチ９１１をオンにしなかった場合には、そのまま処理を終了する。一方、次のステップＳ１０３において、最適化スイッチ９１１がオンになった場合には、ステップＳ１０４に進み、情報記録媒体の最適化処理を実施する。
【００７１】
これらの処理を行うことによって、ユーザは情報記録媒体の書換え速度の低下を認識すると共に、ユーザの好みの空き時間に情報記録媒体の最適化処理を実施することが可能となる。
【００７２】
なお、電子機器端末９０１に最適化スイッチ部を設ける例を示したが、キー入力部９０３に備えてあるキーを複数組み合わせて押すなどの処理で、同機能が実現されてもよい。また、電子機器端末９０１の表示部９０５がタッチパネルとなっており、最適化処理を促す表示があった場合には、タッチパネルの操作によって情報記録媒体の最適化処理を実施する方法でもよい。さらに、電子機器端末９０１へのデータの書き込みがあった後の処理について説明したが、これらの処理が電子機器端末９０１の電源供給が開始された場合の起動処理に実施してもよい。さらに、ユーザには情報記録媒体の最適化処理を促す表示のみを行い、最適化スイッチを押すのはいつ実施してもよい。
【００７３】
以上説明した実施の形態１、２、３、４については、それぞれ電子機器端末に単独で実施しても構わないし、これらの実施の形態の組み合わせによって実施しても構わない。
【産業上の利用可能性】
【００７４】
本発明に関わる電子機器端末は、この端末に挿入される情報記録媒体のデータ書き込み速度を計測する機能を有している。この機能はメモリ容量の比較的少ない情報記録媒体が装着された情報記録再生装置に対して最適に利用できる。またこの機能は電子機器端末だけではなく、複数の情報記録媒体を持つ携帯用ＰＣにも適用できる。
【図面の簡単な説明】
【００７５】
【図１】実施の形態１における電子機器端末の概要を示す構成図である。
【図２】実施の形態１における情報記録媒体の装着時における処理手順を示すフローチャートである。
【図３】各実施の形態における電子機器端末の管理テーブルの内容を示す説明図である。
【図４】実施の形態１における情報記録媒体へデータを記録する際の処理手順を示すフローチャートである。
【図５】実施の形態２における電子機器端末の概要を示す構成図である。
【図６】実施の形態２における情報記録媒体の最適化処理の処理手順を示すフローチャートである。
【図７】実施の形態３における電子機器端末の概要を示す構成図である。
【図８】実施の形態３における情報記録媒体の最適化処理の処理手順を示すフローチャートである。
【図９】実施の形態４における電子機器端末の概要を示す構成図である。
【図１０】実施の形態４における情報記録媒体の最適化処理の処理手順を示すフローチャートである。
【符号の説明】
【００７６】
１、５０１、７０１、９０１    電子機器端末
２、５０２、７０２、９０２    カメラ部・マイク部
３、５０３、７０３、９０３    キー入力部
４、５０４、７０４、９０４    外部データ入出力部
５、５０５、７０５、９０５    表示部
６、５０６、７０６、９０６    制御部
７、５０８、７０７、９０７    データ解析部
８、５０９、７０８、９０８    アクセス速度管理部
９、５１０、７０９、９０９    データ書き込み先判定部
１０、５２０、７１０、９１０    コマンド送信部
１１、５２２、７１２、９１２    情報記録媒体Ｉ／Ｆ
１２、１３、１４、５２３，５２４，５２５、７１３、７１４、７１５、９１３，９１  ４，９１５    情報記録媒体
３０    スロット番号
３１    媒体ＩＤ
３２    タイプ
３３    容量
３４    空き容量
３５    最適書換え速度
３６    前回書換え速度
３７    最適化処理の必要性
５０７    電源スイッチ部
７１１    外部電源接続部
９１１    最適化スイッチ部
【図１】
2005044285.tif 000003
【図２】
2005044285.tif 000004
【図３】
2005044285.tif 000005
【図４】
2005044285.tif 000006
【図５】
2005044285.tif 000007
【図６】
2005044285.tif 000008
【図７】
2005044285.tif 000009
【図８】
2005044285.tif 000010
【図９】
2005044285.tif 000011
【図１０】
2005044285.tif 000012